(57)【要約】【課題】電源回路及び光源部の一方が他方から受ける熱の影響を低減する。【解決手段】照明装置１００は、それぞれ複数の発光素子２１が実装された複数の基板２５１を有する光源部２０と、光源部２０に電力を供給する電源回路６１と、光源部２０及び電源回路６１を保持する器具本体１１０と、を備え、器具本体１１０は、光源部２０を保持する第一器具体１１６と、電源回路６１を保持し、第一器具体１１６に取り付けられた第二器具体１１７とを備える。【選択図】図５
2020136191.tif 000002
【特許請求の範囲】
【請求項１】
それぞれ複数の発光素子が実装された複数の基板を有する光源部と、
前記光源部に電力を供給する電源回路と、
前記光源部及び前記電源回路を保持する器具本体と、を備え、
前記器具本体は、前記光源部を保持する第一器具体と、前記電源回路を保持し、前記第一器具体に取り付けられた第二器具体とを備える
照明装置。
【請求項２】
前記複数の基板は、平面視において前記電源回路に重なっていない
請求項１に記載の照明装置。
【請求項３】
前記複数の基板は、前記第一器具体に対して略環状に配置されており、
前記複数の基板に備わる複数の前記発光素子は、環状に配列されており、
前記第二器具体は、平面視において、前記第一器具体の外周縁の内側に収まるように配置されており、
前記第二器具体は、平面視において、複数の前記発光素子のうち、半分以上の発光素子に対して重なっていない
請求項１または２に記載の照明装置。
【請求項４】
前記第二器具体は、平面視において、前記複数の発光素子の全てに対して重なっていない
請求項３に記載の照明装置。
【請求項５】
前記光源部から出射され、端面から入射された光を、前方に向けられた側面から放出する導光板を備え、
前記第一器具体は、前記導光板を保持する
請求項１〜４のいずれか一項に記載の照明装置。
【請求項６】
前記導光板は、前記端面を形成する入射部と、前記側面を形成する側面部と、前記入射部及び前記側面部の間において光の進路を変更させる、外向きに凸の湾曲部とを有し、
前記第一器具体は、前記導光板の前記入射部を固定した状態で前記側面部を保持し、
前記第一器具体と前記側面部との間には、光反射性の反射部が設けられている
請求項５に記載の照明装置。
【発明の詳細な説明】
【技術分野】
【０００１】
本発明は、室内等を照明するための照明装置に関する。
【背景技術】
【０００２】
室内を照明するための照明装置の一つとして、シーリングライトが知られている。シーリングライトは、室内の天井に取り付けられる器具本体と、器具本体に支持された発光モジュール（光源部）と、器具本体に支持され、光源部に電力を供給する電源回路と、器具本体に取り付けられて、光源部を覆う透光性カバーとを備えている（例えば、特許文献１参照）。
【先行技術文献】
【特許文献】
【０００３】
【特許文献１】特開２０１８−１０８７９号公報
【発明の概要】
【発明が解決しようとする課題】
【０００４】
ところで、電源回路及び光源部は、それぞれ発熱するために、この熱が相互に影響しあう。具体的には、電源回路では自身の発熱以外に、光源部からの熱の影響を受けてしまう。一方、光源部では自身の発熱以外に、電源回路からの熱の影響を受けてしまう。
【０００５】
本発明は、電源回路及び光源部の一方が他方から受ける熱の影響を低減することができる照明装置を提供することを目的とする。
【課題を解決するための手段】
【０００６】
上記課題を解決するために、本発明の一態様に係る照明装置は、それぞれ複数の発光素子が実装された複数の基板を有する光源部と、光源部に電力を供給する電源回路と、光源部及び電源回路を保持する器具本体と、を備え、器具本体は、光源部を保持する第一器具体と、電源回路を保持し、第一器具体に取り付けられた第二器具体とを備える。
【発明の効果】
【０００７】
本発明の一態様に係る照明装置によれば、電源回路及び光源部の一方が他方から受ける熱の影響を低減することができる。
【図面の簡単な説明】
【０００８】
【図１】実施の形態に係る照明装置の外観を示す斜視図である。
【図２】実施の形態に係る照明装置の分解斜視図である。
【図３】実施の形態に係る照明装置の構成概要を示す断面図である。
【図４】実施の形態に係る器具本体及び光源部の概略構成を示す斜視図である。
【図５】実施の形態に係る器具本体及び光源部の概略構成を示す断面図である。
【図６】実施の形態に係る器具本体及び光源部の概略構成を示す断面図である。
【図７】実施の形態に係る貫通孔を有するボス部を拡大して示す斜視図である。
【図８】実施の形態に係る貫通孔を有するボス部の断面を示す斜視図である。
【図９】実施の形態に係る基板群と、第二器具体の外周縁とを示す平面図である。
【図１０】実施の形態に係る基板群と、第二器具体の外周縁との他の例を示す平面図である。
【図１１】実施の形態に係る導光板の入射部及び側面部の詳細を説明するための拡大断面図である。
【図１２】実施の形態に係る導光板における光拡散部の配置例を示す分解斜視図である。
【図１３】実施の形態に係る導光板における光取出し部の配置例を示す平面図である。
【図１４】実施の形態に係る光取出し部の形状の一例を示す断面図である。
【図１５】実施の形態に係る光取出し部の形状の別の一例を示す断面図である。
【図１６】変形例に係る照明装置の概略構成を示す断面図である。
【発明を実施するための形態】
【０００９】
以下、実施の形態について、図面を参照しながら説明する。なお、以下に説明する実施の形態は、本発明の一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付しており、重複する説明は省略または簡略化される場合がある。
【００１１】
また、以下の実施の形態及び特許請求の範囲において、平行及び直交などの、相対的な方向または姿勢を示す表現が用いられる場合があるが、これらの表現は、厳密には、その方向または姿勢ではない場合も含む。例えば、２つの方向が直交する、とは、当該２つの方向がなす角が完全に９０°と一致することを意味するだけでなく、実質的に直交すること、すなわち、例えば数％程度の差異を含むことも意味する。また、「前方」とは、照明装置の主たる光の放出方向を示し、本実施の形態では、Ｚ軸プラス側の方向である。つまり、例えば基板の前面とは、基板における複数の発光素子が配置された面である。また、例えば基板の背面とは前面の裏側の面である。また、「側方」とは、前後方向に直交する方向である。
【００１２】
（実施の形態）
［１．照明装置の基本構成］
まず、図１及び図２を参照しながら、実施の形態に係る照明装置１００の基本構成について説明する。図１は、実施の形態に係る照明装置１００の外観を示す斜視図である。図２は、実施の形態に係る照明装置１００の分解斜視図である。図３は、実施の形態に係る照明装置１００の構成概要を示す断面図である。具体的には、図３では、図１のＩＩＩ−ＩＩＩ線を通るＹＺ平面における照明装置１００の断面が簡易的に図示されている。また、図３では、発光素子２１については、ＩＩＩ−ＩＩＩ線の位置に配置された１つの発光素子２１のみが側面が図示されている。
【００１３】
図１に示すように、本実施の形態の照明装置１００は、例えばシーリングライトと呼ばれる、天井に取り付けられる照明装置である。なお、図１における下方（Ｚ軸マイナスの方向）が、天井が存在する方向である。つまり、図１及び以降の図では、照明装置１００は、通常の使用時とは上下が逆の姿勢で図示されている。
【００１４】
本実施の形態に係る照明装置１００は、器具本体１１０と、器具本体１１０に取り付けられた光源部２０と、光源部２０の前方に配置された導光板１６０と、光源部２０及び導光板１６０を覆う拡散カバー１４０とを備える。
【００１５】
光源部２０は、基板群２５と、基板群２５の前面に配置された複数の発光素子２１とを有する。導光板１６０は、光源部２０から光が入射される端面を形成する入射部１６１と、入射部１６１から入射された光を放出する側面１６６ａを形成する側面部１６６とを有する。拡散カバー１４０は、光源部２０及び導光板１６０を覆い、導光板１６０から放出される光を拡散して外部に放出する。
【００１６】
［２．器具本体］
図４は、実施の形態に係る器具本体１１０及び光源部２０の概略構成を示す斜視図である。図５は、実施の形態に係る器具本体１１０及び光源部２０の概略構成を示す断面図である。具体的には、図５は、図４におけるＶ−Ｖ線を含む切断面を見た断面図である。図６は、実施の形態に係る器具本体１１０及び光源部２０の概略構成を示す断面図である。具体的には、図６は、図４におけるＶＩ−ＶＩ切断面を見た断面図である。なお、図５では図示していないが、図６では拡散カバー１４０を図示している。
【００１７】
図４〜図６に示すように、器具本体１１０は、円盤状に形成されており、例えばアルミニウム板又は鋼板等の板金を用いて作製された部材である。具体的には、器具本体１１０は、光源部２０及び導光板１６０を保持する第一器具体１１６と、回路基板５０を保持する第二器具体１１７とを備えている。第二器具体１１７は、第一器具体１１６に対して組み付けられている。
【００１８】
第一器具体１１６は、板金により形成さｆれた単一の部材である。第一器具体１１６の内周部１１８は、環状の平板状に形成されている。内周部１１８の中央部には、円形状の開口部１１３が形成されており、開口部１１３から略円筒状の支持部１０２が露出する。また、内周部１１８における開口部１１３の側方には、器具本体１１０の背面側に配置された筒体７０の先端部が挿入される開口部１１４が形成されている。内周部１１８の前面には、導光板１６０の裏面に当接または近接し、導光板１６０から漏れた光を導光板１６０に再入射させる反射部１１２が設けられている。反射部１１２は、例えば、光反射性を有する反射シートである。なお、反射部１１２は、第一器具体１１６の前面に対して、光反射率が高い白色塗料が塗布又は反射性金属材料が蒸着されることで形成された反射層であってもよい。
【００１９】
内周部１１８の周囲には、内周部１１８よりも後方に凹んだ外周部１１５が形成されている。具体的には、外周部１１５は、傾斜部１１５１と、平板部１１５２と、リブ部１１５３とを備えている。
【００２０】
傾斜部１１５１は、内周部１１８から後方に向けて連続的に傾斜した環状の部位である。平板部１１５２は、傾斜部１１５１の外周縁から外方に向けて略平板状に延設された環状の部位である。平板部１１５２の前面には光源部２０及び導光板１６０が固定されている。具体的には、平板部１１５２には、ネジ１１９（図６参照）によって光源部２０及び導光板１６０が係止されている。光源部２０及び導光板１６０の固定については、後述する。
【００２１】
平板部１１５２には、光源部２０を位置決めするための複数のボス部１１５４が形成されている。複数のボス部１１５４は、周方向に所定の間隔をあけて４つ設けられている。ボス部１１５４は、平板部１１５２の内周側の端部に設けられている。ボス部１１５４は、平板部１１５２の前面から前方に向けて突出している。また、ボス部１１５４の外周側の端部は外方に向けて凸となるように湾曲している。
【００２２】
また、複数のボス部１１５４のうち、一つのボス部１１５４には貫通孔１１５５が形成されている。図７は、実施の形態に係る貫通孔１１５５を有するボス部１１５４を拡大して示す斜視図である。図８は、実施の形態に係る貫通孔１１５５を有するボス部１１５４の断面を示す斜視図である。図８は、図７におけるＶＩＩＩ−ＶＩＩＩ切断面を見た断面斜視図である。
【００２３】
図７及び図８に示すように、貫通孔１１５５は、ボス部１１５４の外周側の端部に対して形成されている。ボス部１１５４には、貫通孔１１５５の全周にわたって背面側に折り曲げられた折り曲げ部１１５６が形成されている。この折り曲げ部１１５６によって、貫通孔１１５５の周囲の強度が高められている。
【００２４】
また、図４に示すように、平板部１１５２には、拡散カバー１４０を着脱自在に器具本体１１０に係止するための複数の係止部１１１ａ、１１１ｂが配置されている。複数の係止部１１１ａ、１１１ｂは、周方向に所定の間隔をあけて６つ設けられている。複数の係止部１１１ａ、１１１ｂのうち、３つの係止部１１１ａは拡散カバー１４０を固定するための固定部材である。係止部１１１ａは、拡散カバー１４０が周方向に回転されることで、当該拡散カバー１４０の外周縁にある被係止片（図示省略）が進入し嵌まることで、当該被係止片を係止する。また、残りの３つの係止部１１１ｂは、周方向に回転された拡散カバー１４０をガイドするガイド部材である。係止部１１１ａは、係止部１１１ｂよりも高さ方向（Ｚ軸方向）の大きさが大きい形状となっている。
【００２５】
リブ部１１５３は、平板部１１５２の外周縁から前方に向けて立設された筒状の部位である。このリブ部１１５３によって、第一器具体１１６の剛性が高められている。
【００２６】
第二器具体１１７は、図２、図３、図５及び図６に示すように、第一器具体１１６の背面側に配置された環状の部材である。第二器具体１１７は、板金により形成された単一の部材である。第二器具体１１７は、器具本体１１０の背面に固定されている。
【００２７】
第二器具体１１７は、内周部１１７１と外周部１１７２とが、その間の中間部１１７３よりも前方に突出した断面形状となっている。この第二器具体１１７の中間部１１７３は、平板状に形成されている。第二器具体１１７の中間部１１７３の前面には、回路基板５０が配置されている。回路基板５０は複数の回路部品で構成された電源回路６１及び制御回路６２を有する基板であり、図示しない電線を介して光源部２０への電力供給、並びに点灯、消灯、調光、及び調色などの制御を行う。回路基板５０の一部には、常夜灯７１及び受光部７５が内部に配置された筒体７０が配置されている。受光部７５は、照明装置１００の制御のための赤外光を受光する装置である。
【００２８】
第二器具体１１７の内周部１１７１の内側には、照明装置１００を、天井に設けられたソケットに取り付けるためのアタッチメント３０を支持する支持部１０２が配置されている。支持部１０２の前方には、器具本体１１０の開口部１１３及び導光板１６０の開口部１６８が配置される。そのため、ユーザは、第一器具体１１６に対して着脱自在に取り付けられた拡散カバー１４０を外すことで、開口部１６８及び開口部１１３を介して、アタッチメント３０にアクセスすることができる。これにより、ユーザは、照明装置１００を、天井に配置されたソケットに取り付けること、及び、ソケットから取り外すことができる。
【００２９】
筒体７０の前方には、第一器具体１１６の開口部１１４が配置されており、受光部７５は、リモコンから送信された赤外光を、第一器具体１１６に遮断されることなく受光することができる。
【００３０】
第二器具体１１７の外周部１１７２は、平板状に形成されており、中間部１１７３よりも前方に突出している。外周部１１７２は、第一器具体１１６の平板部１１５２において内周部分の背面に対して重ねられて固定されている。これにより、第二器具体１１７は、平面視において、第一器具体１１６の外縁の内側に収まるように配置されている。
【００３１】
［３．光源部］
図２〜図８に示すように、光源部２０は、基板群２５と、基板群２５に配置された複数の発光素子２１を備える。なお、本実施の形態において、基板群２５は、円環状に並べられた互いに別体の４枚の基板２５１が電気的に接続されることで構成されている。各基板２５１は弧状に形成されており、これらが前方から見た場合に円環状となるように、第一器具体１１６の平板部１１５２の前面に配置されている。平面視において、各基板２５１の内方には、回路基板５０が配置されている。これにより、各基板２５１と電源回路６１とが平面視で重ならない配置関係となっている。つまり、電源回路６１の直下または直上には、複数の基板２５１が配置されていないので、複数の基板２５１と電源回路６１との伝熱経路を長くすることができる。したがって、光源部２０及び電源回路６１の相互の熱的な影響を抑制することができる。
【００３２】
また、各基板２５１には、複数の発光素子２１が弧状に配置されている。このため、複数の発光素子２１は、全体として円環状に配置されている。
【００３３】
図９は、実施の形態に係る基板群２５と、第二器具体１１７の外周縁とを示す平面図である。第二器具体１１７の外周縁とは、第二器具体１１７の外周部１１７２の外周縁である。図９では、第二器具体１１７の外周縁（外形線）を破線Ｌ１で示している。図９に示すように、平面視において、第二器具体１１７は、複数の発光素子２１のうち、半分以上の発光素子２１に対して重ならない形状を有している。このため、第二器具体１１７に対して平面視で重なっていない発光素子２１からの熱は、重なっている場合と比べても第二器具体１１７に対して伝わりにくくなる。したがって、第二器具体１１７は、発光素子２１からの熱の影響が抑制されることとなっている。
【００３４】
図１０は、実施の形態に係る基板群２５と、第二器具体１１７の外周縁との他の例を示す平面図である。図１０の破線Ｌ２に示すように、平面視において、第二器具体１１７は、複数の発光素子２１のうち、全ての発光素子２１に対して重ならない形状を有している。このため、全ての発光素子２１からの熱は、第二器具体１１７に対して伝わりにくくなる。したがって、第二器具体１１７は、発光素子２１からの熱の影響がより抑制されることとなっている。
【００３５】
基板２５１は、導体パターン（金属配線）が設けられたプリント基板である。このような基板２５１としては、例えば、ＣＥＭ３（Ｃｏｍｐｏｓｉｔｅ  ｅｐｏｘｙ  ｍａｔｅｒｉａｌ−３）基板等のガラスコンポジット基板、樹脂基板、セラミック基板、紙フェノール基板、またはメタルベース基板等が採用される。
【００３６】
また、図７及び図９に示すように、各基板２５１の両端部における内周縁には、凹曲線状に切り欠かれた切欠２５２が形成されている。複数の基板２５１のうち、隣り合う基板２５１の境界部分には、各基板２５１の切欠２５２が連続して並ぶことにより一つの凹部２５３を形成している。各凹部２５３は、各基板２５１がなす全ての境界部分に設けられている。
【００３７】
凹部２５３は、外方に向けて凹んだ凹形状となっている。凹部２５３には、ボス部１１５４が係合する。このように、基板群２５の内周縁に設けられた凹部２５３に対して、ボス部１１５４が係合することで、第一器具体１１６の所定の位置に基板群２５が位置合わせされる。
【００３８】
また、基板２５１は、図６に示すように、第一器具体１１６の平板部１１５２と、導光板１６０のフランジ１６９とによって挟まれた状態で保持されている。具体的には、平板部１１５２と、フランジ１６９とはネジ１１９によって固定されており、基板２５１は、平板部１１５２とフランジ１６９とによって単に挟持されている。
【００３９】
ここで、発光素子２１の熱を起因として各基板２５１が熱膨張する際には、各基板２５１は外方に向けて広がろうとする。上述したように、基板２５１は、平板部１１５２とフランジ１６９とによって挟持されているだけであるため、平板部１１５２に沿う熱変形はある程度許容されている。このとき、基板群２５の内周縁に設けられた凹部２５３に対してボス部１１５４が係合しているために、各基板２５１の広がりをボス部１１５４が阻害しない。したがって、各基板２５１における切欠２５２（凹部２５３）に対しては応力が集中しにくくなっている。
【００４０】
特に、基板２５１の熱変形は、その両端部で顕著であるが、当該両端部に設けられた凹部２５３に対してボス部１１５４が係合しているために、両端部の熱変形を許容しやすくすることができる。さらに、凹部２５３の凹形状を、ボス部１１５４における外周側の端部の凸形状に対して沿うような形状とすれば、基板２５１の両端部の熱変形をより許容しやすい。なお、凹部２５３は、基板２５１の端部以外の部分に設けられていてもよい。
【００４１】
また、各基板２５１には、各基板２５１を直列に電気的に導通するための複数の配線２９０が接続されている。具体的には、配線２９０は、電気部品の一例であり、基板２５１の端部に設けられたコネクタ２９１に対して接続されている。コネクタ２９１は、基板２５１の両端部のそれぞれに設けられている。配線２９０は、コネクタ２９１から、基板２５１上の導体パターンを介して各発光素子２１に対して電力を供給する。各配線２９０は、隣り合う一対の基板２５１の境界部分に対して設けられている。具体的には、各配線２９０は、各ボス部１１５４に対して平面視で重なるように配置されている。例えば、貫通孔１１５５を有するボス部１１５４に対応する配線２９０においては、ボス部１１５４に対して重なった状態で、貫通孔１１５５から器具本体１１０内に引き入れられて、電源回路６１に対して電気的に接続されている（図７及び図８参照）。一方、貫通孔１１５５を有さないボス部１１５４に対応する各配線２９０は、当該ボス部１１５４に対して平面視で重なった状態で架け渡されており、隣り合う一対の基板２５１同士を電気的に接続している。
【００４２】
本実施の形態において、複数の発光素子２１の各々は、例えばＬＥＤチップがパッケージ化されたＬＥＤ素子である。すなわち、光源部２０の実装構造は、ＬＥＤチップがパッケージ化されたＬＥＤ素子を各基板２５１上に実装したＳＭＤ（Ｓｕｒｆａｃｅ  Ｍｏｕｎｔ  Ｄｅｖｉｃｅ）構造である。なお、光源部２０が有する複数の発光素子２１は、例えば色温度が互いに異なる２種類の発光素子２１を含んでいる。例えば、光源部２０が有する複数の発光素子２１が、色温度が高い発光素子２１のグループ（第一グループ）と、色温度が低い発光素子２１のグループ（第二グループ）とによって構成されてもよい。この場合、第一グループの発光素子２１及び第二グループの発光素子２１それぞれの明るさを調整すること、つまり調光制御することで、光源部２０が発する光の色の調整、つまり、調色制御が行われてもよい。
【００４３】
このように構成された光源部２０は、基板群２５が、器具本体１１０の外周部１１５に当接した状態で配置されるため、複数の発光素子２１が発する熱は、器具本体１１０によって効率よく外部に放熱される。
【００４４】
［４．拡散カバー］
図３に示すように、拡散カバー１４０は、光源部２０及び導光板１６０を覆う部材であり、透光性を有する樹脂で形成されている。拡散カバー１４０は、例えば乳白色あり、光拡散粒子を分散させた樹脂材料を射出成形することで作製することができる。拡散カバー１４０は、各発光素子２１からの光を拡散して外部に放出することができる。また、拡散カバー１４０は、内面または外面に、乳白色の光拡散層、または、複数の光拡散ドット若しくは微小凹凸（シボ）が形成されていることで光拡散機能を有してもよい。拡散カバー１４０は、上述のように、器具本体１１０の係止部１１１ａに対して着脱自在に取り付けられる。
【００４５】
なお、本実施の形態では、拡散カバー１４０は前方から見た場合（以下、平面視ともいう。）において円形であり、かつ、Ｚ軸方向の幅（厚み）が比較的に薄いという特徴を有している。
【００４６】
具体的には、本実施の形態では、複数の発光素子２１のそれぞれが発する光は、直接的に、または、各発光素子２１に配置されたレンズを介して拡散カバー１４０に届くのではなく、導光板１６０を介して面光源からの光として拡散カバー１４０に到達する。すなわち、複数の発光素子２１のそれぞれが発する光は、導光板１６０による疑似的な面光源からの光として拡散カバー１４０に到達する。従って、図３において、導光板１６０の側面部１６６と拡散カバー１４０との間の最大距離をＨａとし、光源部２０と導光板１６０の側面部１６６との間の距離をＨｂとした場合、例えば、Ｈａ＜Ｈｂとすることが可能である。つまり、拡散カバー１４０の内面と導光板１６０の側面部１６６との距離を縮めることで、拡散カバー１４０のＺ軸方向の幅を小さすることが可能である。この場合であっても、拡散カバー１４０には、主として、導光板１６０に形成された疑似的な面光源からの光が入射するため、拡散カバー１４０を介して、複数の発光素子２１それぞれに形成される輝点が視認されることが実質的に防止される。
【００４７】
［５．導光板］
導光板１６０は、光源部２０が有する複数の発光素子２１の各々からの光を、照明装置１００の前方（Ｚ軸プラス側の方向）の空間に導くための光学部材であり、透光性を有する材料（例えば透明のアクリル樹脂等）で形成されている。図２、図３、図５及び図６に示すように、導光板１６０は、光源部２０が出射した光が入射される入射部１６１、及び入射部１６１から入射された光を放出する側面部１６６を有している。導光板１６０はさらに、入射部１６１及び側面部１６６の間において光の進路を変更させる、外向きに凸の湾曲部１６５を有している。また、導光板１６０は、入射部１６１の外方において、外方に張り出したフランジ１６９を有している。フランジ１６９は、上述したように、ネジ１１９を介して、第一器具体１１６の平板部１１５２に対して保持されている。これにより、フランジ１６９は、平板部１１５２とで基板２５１を挟持している。
【００４８】
入射部１６１は、光源部２０が出射した光が入射される端面である第一入射面１６２ａを有している。側面部１６６は、光源部２０からの光の出射方向（Ｚ軸プラス側の方向）に直交する平面状の部分である。側面部１６６は、光の出射面である側面１６６ａと、側面１６６ａの反対側の面である裏面１６６ｂとを有している。入射部１６１は、導光板１６０を側面１６６ａの側から見た場合において、側面部１６６を囲む環状に形成されており、発光素子２１は、入射部１６１に対向する位置に複数並んで配置されている。
【００４９】
ここで、照明装置１００の調色制御において、例えば、暖色系の照明光を放出させる場合、実質的に、色温度が低い発光素子２１のグループ（第二グループ）の発光素子２１のみが点灯する状態も生じ得る。この場合であっても、第二グループの発光素子２１が、環状に並べられた発光素子２１の列において、略等間隔で並べられていれば、導光板１６０から放出される照明光において、第二グループの発光素子２１のみが点灯することによる輝度ムラは抑制される。つまり、導光板１６０により形成される疑似的な面光源によれば、光源である発光素子２１が点在することによる輝度ムラが生じ難く、また、各々が点光源である発光素子２１が輝点として観察され難い。また、導光板１６０によれば、比較的に少ない数の発光素子２１で疑似的に面光源を作り出すことができるため、製造コストの抑制、または、製造工程の簡易化等が図られる。
【００５０】
このように構成された導光板１６０について、図１１〜図１５を参照しながらさらに説明する。まず、図１１及び図１２を用いて導光板１６０の基本構成について具体的に説明する。図１１は、実施の形態に係る導光板１６０の入射部１６１及び側面部１６６の詳細を説明するための拡大断面図である。なお、図１１における断面の位置は、図３における断面の位置に準ずる。図１２は、実施の形態に係る導光板１６０における光拡散部１６４の配置例を示す分解斜視図である。なお、図１１及び図１２では、拡散カバー１４０の図示は省略されている。
【００５１】
図１１に示すように、導光板１６０の入射部１６１は、第一入射面１６２ａ及び第二入射面１６３ａを有している。第一入射面１６２ａは、発光素子２１が出射した光の一部が入射される端面であって、入射された光を、導光板１６０の側面部１６６に向かわせる端面である。第二入射面１６３ａは、発光素子２１が出射した光の一部が入射される端面であって、入射された光を、入射部１６１で拡散させて外方に放出させる端面である。
【００５２】
つまり、本実施の形態に係る入射部１６１は、入射された光を、照明光の主たる出射領域である側面部１６６に向かわせる光入射面としての機能と、外方かつ側方（図１１におけるＹ軸プラス側）に拡散して放出する拡散レンズとしての機能とを有する。
【００５３】
より詳細には、入射部１６１は、図１１に示すように、第一入射面１６２ａを有する第一入射部１６２と、第二入射面１６３ａを有する第二入射部１６３とを有する。本実施の形態では、第一入射部１６２と第二入射部１６３とは一体化されている。つまり、導光板１６０を、例えば樹脂材料を射出成形することで作製する場合、射出成形に用いる金型によって、第一入射部１６２と第二入射部１６３とが一体化された入射部１６１を成形することができる。
【００５４】
このように構成された入射部１６１において、発光素子２１は、例えば光軸Ｌａが第一入射面１６２ａを通過する位置に配置される。言い換えると、入射部１６１は、第一入射面１６２ａと発光素子２１の光軸Ｌａとが交わる位置に配置される。つまり、発光素子２１から出射される光は主に第一入射面１６２ａに入射され、側面部１６６から出射される照明光として利用される。また、図１１において、発光素子２１から出射され、右方向に向かう光は、第二入射面１６３ａに入射し、第二入射部１６３によって拡散されて放出される。これにより、拡散カバー１４０における、導光板１６０と対向しない端部（図３参照）に向けて光を放出することができ、その結果、外観上、拡散カバー１４０の端部も光らせることができる。このことは、照明装置１００が放出する光の均一性の向上に寄与する。
【００５５】
なお、拡散カバー１４０の外周部により光を集めたい場合などにおいて、発光素子２１から出射される光が、主に第二入射面１６３ａに入射されてもよい。つまり、第一入射面１６２ａ及び第二入射面１６３ａの一方は、発光素子２１から出射された光のうちの当該一方に入射される割合が、他方入射される割合よりも高くなる位置または形状に形成されていてもよい。これにより、平面視において、照明装置１００の中央部から放出される照明光と、照明装置１００の外周部から放出される照明光の明るさのバランスを、例えば、照明装置１００に要求される仕様に応じて調整することができる。
【００５６】
また、第一入射部１６２と第二入射部１６３とが一体化されていることは必須ではなく、第一入射部１６２と第二入射部１６３とは別体であってもよい。例えば、第一入射部１６２を有する導光板１６０の外周に、環状に形成された第二入射部１６３を、嵌合、接着または溶着などで接続することで、第一入射部１６２と第二入射部１６３とを有する入射部１６１が形成されてもよい。
【００５７】
また、本実施の形態では、導光板１６０は、側面部１６６に設けられた開口部１６８を有し、開口部１６８の周縁には、図３に示すように、テーパ面１６８ａが形成されている。テーパ面１６８ａは、拡散カバー１４０に近づくほど開口部１６８の中心から遠ざかる向きに傾いて形成されている。
【００５８】
開口部１６８は、照明装置１００の外部から、照明装置１００の中央部分に配置されたアタッチメント３０にアクセスするめに必要な部分であるが、導光板１６０における非発光領域となるため、平面視において暗部として観察される可能性がある。そこで、本実施の形態では、開口部１６８の周縁にテーパ面１６８ａを設けることで、テーパ面１６８ａから、照明装置１００の中央かつ前方に向けて光が放出される。その結果、照明装置１００の中央部が暗部として観察される可能性が低減される。
【００５９】
また、本実施の形態では、図１１に示すように、導光板１６０の側面部１６６の裏面１６６ｂには、複数の凹部１６７ａが並べられることで形成された光制御部１６７が設けられている。つまり、光制御部１６７は、導光板１６０の内部において裏面１６６ｂに到達した光の一部の方向を、凹部１６７ａによって側面１６６ａに向けることができる。これにより、導光板１６０の側面１６６ａからの光の取り出し効率が向上する。具体的には、本実施の形態では、側面部１６６の裏面１６６ｂの略全域に光制御部１６７が設けられている。複数の凹部１６７ａは、例えば、裏面１６６ｂにレーザ光を照射することで形成される。また、導光板１６０の作製に用いる金型によって、複数の凹部１６７ａが形成されてもよい。また、複数の凹部１６７ａではなく、複数の凸部が並べられることで形成された光制御部１６７が、裏面１６６ｂに設けられてもよい。
【００６０】
また、本実施の形態では、側面部１６６の裏面１６６ｂの略全域に対向する位置に、器具本体１１０の反射部１１２が配置されている（図２及び図５参照）。そのため、側面部１６６の裏面１６６ｂから外部に漏れた光を、反射部１１２によって側面部１６６に再入射させることができる。このことによっても、導光板１６０の側面１６６ａからの光の取り出し効率を向上させることができる。
【００６１】
ここで、光制御部１６７が裏面１６６ｂに設けられている場合、裏面１６６ｂの直下（通常の使用時では直上）に位置する常夜灯７１（図１２参照）の点灯時に、光制御部１６７によりドット状の陰影が拡散カバー１４０に形成される場合がある。なお、常夜灯７１は、光源部２０を第一光源部とした場合における第二光源部の一例である。
【００６２】
具体的には、常夜灯７１が点灯する場合は、光源部２０は消灯しているため、導光板１６０に入射される光は常夜灯７１が発する光のみである。また、上述のように、本実施の形態に係る照明装置１００では、拡散カバー１４０の内面と導光板１６０との距離を小さくすることが可能であるため、拡散カバー１４０は導光板１６０の側面部１６６に比較的近い位置に配置される。この状態で、常夜灯７１が点灯した場合、裏面１６６ｂに設けられた光制御部１６７に、外側から常夜灯７１の光が入射して側面１６６ａを通過して拡散カバー１４０に到達する。このとき、光制御部１６７には、複数の凹部１６７ａ（または凸部）が並んで設けられているため、その凹凸形状が目立ちやすい。具体的には、その凹凸形状に応じたドット状の陰影が拡散カバー１４０に生じやすい。そこで、本実施の形態では、導光板１６０の、常夜灯７１に対向する位置に、光拡散部１６４を設けている。つまり、導光板１６０を側面１６６ａの側から見た場合に、常夜灯７１と重複する位置に光拡散部１６４が設けられている。本実施の形態では、導光板１６０の側面１６６ａの一部にシボ加工を施すことで、光拡散部１６４が形成されている。これにより、光制御部１６７を通過した光は光拡散部１６４によって拡散され、その結果、拡散カバー１４０において、常夜灯７１が発する光に起因するドット状の陰影は生じ難くなる。また、光源部２０は、導光板１６０の入射部１６１に対向して配置されるため、導光板１６０の裏面１６６ｂに対向して配置される常夜灯７１の配置位置の自由度は高い。
【００６３】
なお、本実施の形態では、常夜灯７１は、図１２に示すように筒体７０の内部に配置されており、導光板１６０には、筒体７０の上部開口に対向する領域に、光拡散部１６４が設けられている。この光拡散部１６４は、照明装置１００における通常の点灯時（つまり、光源部２０が光を出射している状態）では、目立ち難く、さらに、拡散カバー１４０で覆われるため、外観上の問題は実質的には生じない。また、光拡散部１６４は、裏面１６６ｂに形成された微小な凹凸で形成される必要はない。例えば、光拡散粒子を含有する樹脂層である光拡散層が、裏面１６６ｂにおける常夜灯７１と対向する位置に配置されることで、光拡散部が形成されてもよい。
【００６４】
また、本実施の形態では、導光板１６０を側面１６６ａの側から見た場合に、光拡散部１６４と重複する位置に照明装置１００を操作するための外部機器から送信される光を受ける受光部７５が配置されている。受光部７５は、例えば、照明装置１００を操作するための専用リモコンから送信される赤外光を受光する。受光部７５は受光した赤外光に応じた信号を回路基板５０（図１２参照）に送信し、回路基板５０は当該信号に応じて光源部２０の点灯、消灯、調光、及び調色などの制御を行う。受光部７５が、導光板１６０の光拡散部１６４の裏側に存在することで、受光部７５は赤外光を受光しやすくなる。具体的には、照明装置１００の外部から送信され、拡散カバー１４０を通過した赤外光は、光拡散部１６４において拡散されることで、受光部７５への到達可能性が向上する。つまり、外部から送信された赤外光が、導光板１６０によって全反射される可能性が低減する。従って、導光板１６０の裏側に受光部７５を配置する場合、正面視において光拡散部１６４と重複する位置に受光部７５を配置することで、受光部７５による受光の確実化を図ることができる。
【００６５】
なお、導光板１６０の側面部１６６における光制御部１６７及び光拡散部１６４の位置は逆であってもよい。つまり、側面部１６６の側面１６６ａに光制御部１６７を設け、側面部１６６の裏面１６６ｂに光拡散部１６４を設けてもよい。この場合であっても、常夜灯７１から出射された光は光拡散部１６４で拡散されるため、常夜灯７１が点灯する場合におけるドット状の陰影の発生は抑制される。また、この場合、光制御部１６７は、複数の凹部または凸部を有することで、外部への光取出し効率を向上させる光取出し部として機能させることができる。
【００６６】
ここで、導光板１６０は、入射部１６１と側面部１６６とを接続する湾曲部１６５を有することで、第一器具体１１６に平置きされた光源部２０からの光を、前方に向けて配置された（法線方向を前後方向に平行な姿勢にされた）側面部１６６から外部に放出することができる。しかし、湾曲部１６５は、光が放出されにくい部分であるため、天井に配置された照明装置１００を下方から見上げた場合、湾曲部１６５が、照明装置１００の照明光の放出領域における暗部として認識されるおそれがある。
【００６７】
そこで、導光板１６０は、その暗部を解消するための光取出し部を備えることができる。この光取出し部について、図１３〜図１５を用いて説明する。
【００６８】
図１３は、実施の形態に係る導光板１６０における光取出し部１８０の配置例を示す平面図である。図１４は、実施の形態に係る光取出し部１８０の形状の一例を示す断面図であり、図１５は、実施の形態に係る光取出し部１８０の形状の別の一例を示す断面図である。
【００６９】
図１３〜図１５に示すように、導光板１６０の湾曲部１６５の外側面には、凸形状（図１４）または凹形状（図１５）の光取出し部１８０を設けることができる。
【００７０】
具体的には、図１４〜図１５に示すように、光取出し部１８０は、導光板１６０の入射部１６１を挟んで、複数の発光素子２１と反対側の位置において、入射部１６１の延設方向に連続して設けられている。本実施の形態では、入射部１６１は、環状に配置された複数の発光素子２１に対応して環状に配置されており、光取出し部１８０も、導光板１６０を、側面１６６ａの側から見た場合（つまり、平面視）において、導光板１６０に環状に設けられている。
【００７１】
より詳細には、光取出し部１８０は、図１４に示すように、導光板１６０の湾曲部１６５の外側面から凸形状の環状凸部１８１として実現することができる。環状凸部１８１は、光源部２０の光軸、つまり、発光素子２１の光軸Ｌａに対して直交する平面部１８１ａを有している。これにより、湾曲部１６５を通過しようとする光のうち、光取出し部１８０（環状凸部１８１）に到達した光の少なくとも一部は、平面部１８１ａから前方へ向けて放出される。これにより、湾曲部１６５が暗部として視認される可能性が低減される。
【００７２】
また、光取出し部１８０は、図１５に示すように、導光板１６０の湾曲部１６５の外側面から凹形状の環状凹部１８２として実現することができる。環状凹部１８２は、光源部２０の光軸、つまり、発光素子２１の光軸Ｌａに対して直交する平面部１８２ａを有している。これにより、湾曲部１６５を通過しようとする光のうち、光取出し部１８０（環状凹部１８２）に到達した光の少なくとも一部は、平面部１８２ａから前方へ向けて放出される。これにより、湾曲部１６５が暗部として視認される可能性が低減される。
【００７３】
なお、光取出し部１８０の断面形状は、図１４及び図１５に示される形状には限定されない。例えば、半円状の凸部若しくは凹部、または、Ｖ字状の凸部若しくは凹部等、各種の断面形状の凸部または凹部によって光取出し部１８０を実現することができる。
【００７４】
また、導光板１６０を、例えば樹脂材料を射出成形することで作製する場合、射出成形に用いる金型によって、光取出し部１８０を一体に備える導光板１６０を作製することができる。なお、光取出し部１８０は、導光板１６０と一体に形成される必要はなく、例えば、別部材として作製された光取出し部１８０が、嵌合、接着、または溶着等によって導光板１６０に取り付けられてもよい。
【００７５】
また、図８に示すように、導光板１６０の湾曲部１６５の内方には、ボス部１１５４と、当該ボス部１１５４に重なった配線２９０が配置されている。これにより、平面視においては、湾曲部１６５、ボス部１１５４及び配線２９０が重なっている。ボス部１１５４及び配線２９０は、光を遮って暗部を発生させる一因にもなりうるが、湾曲部１６５内に配置されていることで、光に当たりにくくなる。したがって暗部も生じにくい。さらに、ボス部１１５４及び配線２９０が重なって配置されていることで、暗部発生の一因となる部材同士をまとめて配置することができる。したがって、暗部が発生したとしてもその暗部の面積を小さくすることができる。また、湾曲部１６５内のデットスペースに対して、ボス部１１５４及び配線２９０を配置することができ、スペースを有効活用することも可能である。また、貫通孔１１５５を有するボス部１１５４では、貫通孔１１５５を介して配線２９０を器具本体１１０の内部に引き込むことができるために、器具本体１１０外に配置される配線２９０を抑制することができる。これにより暗部の一因となる配線２９０の露出量を抑制することができ、結果的に暗部の発生を抑制することができる。
【００７６】
なお、電気部品の一例であるコネクタ２９１においても、暗部を発生させる一因となりうる。しかし、本実施の形態では、コネクタ２９１も湾曲部１６５の内方で、当該湾曲部１６５に平面視で重なる位置に配置されているために、コネクタ２９１を起因とした暗部の発生を抑制することが可能である。
【００７７】
また、電気部品の一例である常夜灯７１及び受光部７５の少なくとも一方が、湾曲部１６５の内方で、当該湾曲部１６５に平面視で重なる位置に配置されていてもよい。具体的には、図６に示す二点鎖線の位置に常夜灯７１及び受光部７５の少なくとも一方が配置されていればよい。常夜灯７１及び受光部７５は、暗部を発生させる一因となりうるが、これらが湾曲部１６５の内方で、当該湾曲部１６５に平面視で重なる位置に配置されていれば、常夜灯７１及び受光部７５の少なくとも一方を起因とした暗部の発生を抑制することが可能である。
【００７８】
［６．効果等］
以上説明したように、本実施の形態に係る照明装置１００は、それぞれ複数の発光素子２１が実装された複数の基板２５１を有する光源部２０と、光源部２０に電力を供給する電源回路６１と、光源部２０及び電源回路６１を保持する器具本体１１０と、を備え、器具本体１１０は、光源部２０を保持する第一器具体１１６と、電源回路６１を保持し、第一器具体１１６に取り付けられた第二器具体１１７とを備える。
【００７９】
これによれば、光源部２０が第一器具体１１６に保持され、電源回路６１が第一器具体１１６とは別部材の第二器具体１１７に保持されている。第二器具体１１７は、第一器具体１１６に取り付けられることで一体となるが、その境界面では伝熱性が阻害される。つまり、単体のシャーシに光源部２０と電源回路６１とが保持された場合と比較しても、本実施の形態に係る照明装置１００では、光源部２０及び電源回路６１の相互の熱的な影響を抑制することができる。したがって、光源部２０及び電源回路６１の一方が他方から受ける熱の影響を低減することができる。
【００８０】
また、複数の基板２５１は、平面視において電源回路６１に重なっていない。
【００８１】
これにより、電源回路６１の直下または直上には、複数の基板２５１が配置されていないので、複数の基板２５１と電源回路６１との伝熱経路を長くすることができる。したがって、光源部２０及び電源回路６１の相互の熱的な影響を抑制することができる。
【００８２】
また、複数の基板２５１は、第一器具体１１６に対して略環状に配置されており、複数の基板２５１に備わる複数の発光素子２１は、環状に配列されており、第二器具体１１７は、平面視において、第一器具体１１６の外周縁の内側に収まるように配置されており、第二器具体１１７は、平面視において、複数の発光素子のうち、半分以上の発光素子に対して重なっていない。
【００８３】
これによれば、第二器具体１１７は、平面視において、複数の発光素子のうち、半分以上の発光素子に対して重なっていないので、第二器具体１１７に対して平面視で重なっていない発光素子２１からの熱は、重なっている場合と比べても第二器具体１１７に対して伝わりにくくなる。一方、第二器具体１１７に対して平面視で重なっていない発光素子２１に対しては、第二器具体１１７からの熱（電源回路６１を起因とした熱）も伝わりにくくなる。したがって、光源部２０及び電源回路６１の一方が他方から受ける熱の影響をより低減することができる。
【００８４】
また、第二器具体１１７は、平面視において、複数の発光素子２１の全てに対して重なっていない。
【００８５】
これによれば、第二器具体１１７は、平面視において、複数の発光素子の全ての発光素子に対して重なっていないので、全ての発光素子２１からの熱が、第二器具体１１７に対して一層伝わりにくくなる。一方、全ての発光素子２１に対しては、第二器具体１１７からの熱（電源回路６１を起因とした熱）もより伝わりにくくなる。したがって、光源部２０及び電源回路６１の一方が他方から受ける熱の影響をより一層低減することができる。
【００８６】
また、光源部２０から出射され、端面（光入射面１６２ａ）から入射された光を、前方に向けられた側面１６６ａから放出する導光板１６０を備え、第一器具体１１６は、導光板１６０を保持する。
【００８７】
これによれば、導光板１６０が第一器具体１１６によって保持されているので、第二器具体１１７で保持された電源回路６１からの熱が導光板１６０に伝わりにくくなる。つまり、導光板１６０に対する電源回路６１からの熱の影響を抑制することが可能である。
【００８８】
また、導光板１６０は、端面を形成する入射部１６１と、側面１６６ａを形成する側面部１６６と、入射部１６１及び側面部１６６の間において光の進路を変更させる、外向きに凸の湾曲部１６５とを有し、第一器具体１１６は、導光板１６０の入射部１６１を固定した状態で側面部１１６を保持し、第一器具体１１６と側面部１１６との間には、光反射性の反射部１１２が設けられている。
【００８９】
これによれば、第一器具体１１６と側面部１１６との間に反射部１１２が設けられているので、側面部１６６から外部に漏れた光を、反射部１１２によって側面部１６６に再入射させることができる。これにより、導光板１６０の側面１６６ａからの光の取り出し効率を向上させることができる。
【００９０】
［７．変形例］
上記実施の形態では、第一器具体１１６の平板部１１５２に対して、光源部２０と係止部１１１ａ、１１１ｂとが配置されている場合、つまり、同一の平面上に光源部２０と係止部１１１ａ、１１１ｂとが配置されている場合を例示した。この変形例では、光源部２０が、係止部１１１ａ、１１１ｂよりも突出した位置に配置されている場合を例示する。なお、以降の説明において同一の部分については、同一の符号を付してその説明を省略する場合がある。
【００９１】
図１６は、変形例に係る照明装置１００Ａの概略構成を示す断面図である。図１６に示すように、変形例に係る照明装置１００Ａの第一器具体１１６ａは、外周部１１５ａの平板部１１５２ａの形状が上記実施の形態に係る平板部１１５２と異なる。具体的には、変形例に係る平板部１１５２ａは、その一部に環状台部１１５７ａを有している。環状台部１１５７ａは、平板部１１５２ａ内の傾斜部１１５１側の領域に形成された環状の凸部である。環状台部１１５７ａは、第一器具体１１６ａの全周にわたって連続した凸形状となっており、その先端部が平坦面に形成されている。環状台部１１５７ａの先端部には、光源部２０の基板２５１が設置されている。図１６において、矢印Ｌ１１、Ｌ１２は、発光素子２１の配光角を示しており、二点鎖線Ｌ２０は発光素子２１の１／２配光角を模式的に示している。
【００９２】
光源部２０は、発光素子２１から外周側に照射されて拡散カバー１４０に向かう光Ｌ１１が係止部１１１ａによって遮らない位置に配置されている。これにより、拡散カバー１４０に投影される、係止部１１１ａを起因とした暗部を抑制することができる。
【００９３】
また、平板部１１５２ａの底面を基準にすると、傾斜部１１５１及び内周部１１８は、拡散カバー１４０に向けて突出した凸部１１５９ａである。光源部２０は、発光素子２１から内周側に照射されて拡散カバー１４０に向かう光Ｌ１２が凸部１１５９ａによって遮らない位置に配置されている。これにより、拡散カバー１４０に投影される、凸部１１５９ａを起因とした暗部を抑制することができる。
【００９４】
例えば、光源部２０を係止部１１１ａ及び凸部１１５９ａから同一平面上で離すことで、光源部２０を上記位置に配置することも可能である。しかし、この場合、第一器具体１１６ａの直径方向の大型化を招くことになる。この大型化を抑制するために、ここでは、平板部１１５２ａの底面から環状台部１１５７ａの先端部までの高さ位置を調整している。
【００９５】
ここで、発光素子２１の１／２配光角（ビーム角）内は、光度が大きい領域である。この内側に係止部１１１ａがあるとより強調された暗部が発生してしまう。このため、光源部２０は、少なくとも発光素子２１のそれぞれの１／２配光角（１／２ビーム角）の内側に係止部１１１ａが入らない位置に配置されていればよい。これにより、係止部１１１ａを起因としたより暗い暗部を確実に抑制することができる。本変形例では、係止部１１１ａを例示して説明したが、係止部１１１ｂにおいても同様である。
【００９６】
また、光源部２０は、少なくとも発光素子２１のそれぞれの１／２配光角の内側に凸部１１５９ａが入らない位置に配置されていればよい。これにより、凸部１１５９ａを起因としたより暗い暗部を確実に抑制することができる。なお、凸部１１５９ａは、導光板１６０の側面部１６６によって覆われているために、凸部１１５９ａが、光源部２０からの光を遮って暗部を発生させたとしても、導光板１６０の側面部１６６内を通過する光で暗部を緩和することが可能である。
【００９７】
なお、ここでは、第一器具体１１６ａと環状台部１１５７ａとが一体物である場合を例示した。しかしながら、第一器具体とは別体の台座を、第一器具体の平板部に設置し、当該台座上に基板を配置することで、光源部の高さ位置の調整を行ってもよい。
【００９８】
［８．他の実施の形態］
以上、本発明に係る照明装置について実施の形態に基づいて説明したが、本発明は、上記実施の形態に限定されるものではない。
【００９９】
例えば、実施の形態に係る照明装置１００は、平面視における形状が円形であるが、照明装置１００の形状に特に限定はない。例えば、照明装置１００は、平面視における形状が矩形などの多角形、十字形または星形などであってもよく、直線と曲線とが組み合わされた形状であってもよい。例えば、照明装置１００の平面視における形状が矩形である場合、複数の発光素子２１の配列形状及び導光板１６０の外形も矩形または矩形に近い形状にすることで、矩形の拡散カバー１４０の広い範囲から光を放出させることができる。
【０１００】
また、照明装置１００が拡散カバー１４０を備えることは必須ではない。導光板１６０は、側面部１６６が疑似的な面光源として機能し、さらに、第二入射部１６３等の他の疑似光源として機能する部位を有している。そのため、導光板１６０から出射される光を、そのまま照明光として用いることも可能である。この場合、拡散カバー１４０を備えないことで、照明装置１００が放出する光の全光束を向上させることができる。
【０１０１】
また、光源部２０は、２重の環状の発光素子２１の列を有してもよい。この場合、内周側の発光素子２１の列を、第一入射面１６２ａ（図４参照）に対向する位置に配置し、外周側の発光素子２１の列を、第二入射面１６３ａ（図４参照）に対向する位置に配置してもよい。これにより、例えば、導光板１６０から拡散カバー１４０のより広い範囲に、より大きな光量の光を放出することができ、その結果、照明装置１００が放出する光の均一性の向上と、全光束の向上とが図られる。
【０１０２】
また、光源部２０が有する複数の発光素子２１は環状に並べられている必要はない。複数の発光素子２１は、環状ではない１つの直線または曲線のみに沿って並べられてもよい。例えば、複数の発光素子２１が直線状に並べられる場合、矩形の導光板の１つの辺に沿って設けられた入射部を、複数の発光素子２１に対向させて配置してもよい。この場合、外観上、複数の発光素子２１の並び方向に長尺状の照明装置が構成されてもよい。
【０１０３】
また、本実施の形態では、複数の発光素子２１からの光によって、平面視における照明装置１００の中央部に疑似的な面光源が形成されるように、導光板１６０が形成されている。しかし、平面視における照明装置の外周側に疑似的な面光源が形成されるように、導光板が形成されてもよい。例えば、環状に並べられた複数の発光素子２１に対向する端面と、平面視において複数の発光素子２１の外側に位置し、かつ前方に向けられた側面とを有する導光板が照明装置に採用されてもよい。この場合であっても、端面と側面との間に湾曲部が設けられるため、湾曲部に光取出し部を設けることで、湾曲部における暗部の発生が抑制される。
【０１０４】
また、発光素子２１は、ＳＭＤ型のＬＥＤ素子であるとしたが、これに限定されない。例えば光源部２０は、発光素子２１としてのＬＥＤチップを基板２５１に直接実装したＣＯＢ（Ｃｈｉｐ  Ｏｎ  Ｂｏａｒｄ）構造であってもよい。この場合、波長変換材を含有する封止部材によって、基板２５１上に実装された複数のＬＥＤチップを一括に封止、または、個別に封止することで、所定の色温度の照明光を得ることができる。
【０１０５】
また、半導体レーザ等の半導体発光素子、または、有機ＥＬ（Ｅｌｅｃｔｒｏ  Ｌｕｍｉｎｅｓｃｅｎｃｅ）もしくは無機ＥＬ等のＥＬ素子等の他の種類の固体発光素子が、発光素子２１として採用されてもよい。
【０１０６】
その他、上記実施の形態及びその変形例に対して当業者が思い付く各種変形を施して得られる形態、及び、本発明の趣旨を逸脱しない範囲で各実施の形態及びその変形例における構成要素及び機能を任意に組み合わせることで実現される形態も本発明に含まれる。
【符号の説明】
【０１０７】
２０  光源部
２１  発光素子
６１  電源回路
７１  常夜灯
７５  受光部
１００、１００Ａ  照明装置
１１０  器具本体
１１１ａ、１１１ｂ  係止部
１１２  反射部
１１６、１１６ａ  第一器具体
１１７  第二器具体
１４０  拡散カバー
１６０  導光板
１６１  入射部
１６２ａ  第一入射面（端面）
１６５  湾曲部
１６６  側面部
１６６ａ  側面
２５１  基板
２５３  凹部
２９０  配線
１１５４  ボス部
１１５５  貫通孔
１１５９ａ  凸部
【図１】
2020136191.tif 000003
【図２】
2020136191.tif 000004
【図３】
2020136191.tif 000005
【図４】
2020136191.tif 000006
【図５】
2020136191.tif 000007
【図６】
2020136191.tif 000008
【図７】
2020136191.tif 000009
【図８】
2020136191.tif 000010
【図９】
2020136191.tif 000011
【図１０】
2020136191.tif 000012
【図１１】
2020136191.tif 000013
【図１２】
2020136191.tif 000014
【図１３】
2020136191.tif 000015
【図１４】
2020136191.tif 000016
【図１５】
2020136191.tif 000017
【図１６】
2020136191.tif 000018